(57)【要約】      （修正有）【課題】  パンクした空気入りタイヤの修理後にシーリング剤が流通した各種部品を短時間で、かつ簡単な作業で交換する。【解決手段】  シーリング装置１０では、ポンプモータ３６からのトルクにより吸入ポンプ４０を作動させると、この吸入ポンプ４０により液剤容器３２内から吸引されたシーリング剤３４が、吸入配管４６、吸入ポンプ４０、供給配管３８及びジョイントホース５０の内部をそれぞれ流通する。使用済みの着脱ユニット５６が予め取り外された本体部３０に新しい着脱ユニット５６を装着するだけで、これらの吸入配管４６、吸入ポンプ４０及びジョイントホース５０を含む装置の構成部品を新しいものに交換（組み付け）できる。この結果、これらの吸入配管４６、吸入ポンプ４０及びジョイントホース５０を本体部３０に１個ずつ組み付ける場合と比較し、これらの構成部品を組み付ける作業を簡略化でき、かつ、これらの構成部品の組み付け時間も短縮できる。【選択図】  図１
2006159592.tif 000002
【特許請求の範囲】
【請求項１】
パンクした空気入りタイヤ内に液状のシーリング剤を注入した後、空気入りタイヤ内へ圧縮空気を供給して空気入りタイヤの内圧を昇圧するシーリング・ポンプアップ装置であって、
シーリング剤を収容する液剤容器と、
吸入ポートが前記液剤容器内に連通するように接続され、外部からトルクが伝達されると、前記吸入ポートを通して前記液剤容器内からシーリング剤を吸入し、該シーリング剤を吐出ポートから吐出する吸入ポンプと、
前記吸入ポンプにトルク伝達が可能となるように連結されて、該吸入ポンプにトルクを伝達するポンプモータと、
一端部が前記吐出ポートに接続されると共に、他端部が空気入りタイヤに接離可能に接続される気液共用配管と、
前記気液共用配管における前記吸入ポンプと空気入りタイヤとの中間部から分岐する分岐配管と、
前記分岐配管を通して前記気液共用配管に接続され、作動時に分岐配管及び気液共用配管を通して空気入りタイヤ内へ圧縮空気を供給するエアコンプレッサと、
前記液剤容器、前記ポンプモータ及び前記エアコンプレッサが配設された装置の本体部に対して着脱可能とされると共に、前記吸入ポンプ、前記気液共用配管及び前記分岐配管がそれぞれ搭載された着脱ユニットとを有し、
前記本体部に前記着脱ユニットを装着すると、該着脱ユニットの本体部への装着動作に連動して、前記吸入ポンプ及び前記分岐配管がそれぞれ前記液剤容器及び前記エアコンプレッサに接続されると共に、前記吸入ポンプに前記ポンプモータが連結されることを特徴とするシーリング・ポンプアップ装置。
【請求項２】
前記本体部から前記着脱ユニットを離脱させると、該着脱ユニットの本体部からの離脱動作に連動して、前記吸入ポンプ及び前記分岐配管がそれぞれ前記液剤容器及び前記エアコンプレッサから切り離されると共に、前記吸入ポンプと前記ポンプモータとの連結状態が解除されることを特徴とすることを特徴とする請求項１記載のシーリング・ポンプアップ装置。
【請求項３】
前記気液共用配管を通してシーリング剤及び圧縮空気が空気入りタイヤ側から前記吸入ポンプへ逆流することを阻止する逆止弁を前記着脱ユニットに搭載したことを特徴とする請求項１又は２記載のシーリング・ポンプアップ装置。
【請求項４】
前記液剤容器が前記本体部に対して着脱可能に装着されることを特徴とする請求項１乃至３の何れか１項記載のシーリング・ポンプアップ装置。
【発明の詳細な説明】
【技術分野】
【０００１】
本発明は、パンクした空気入りタイヤをシールするためのシーリング剤を空気入りタイヤ内へ注入した後、空気入りタイヤ内に加圧空気を供給して空気入りタイヤの内圧を昇圧するシーリング・ポンプアップ装置に関する。
【背景技術】
【０００２】
近年、空気入りタイヤ（以下、単に「タイヤ」という。）がパンクした際に、タイヤ及びホイールを交換することなく、タイヤのパンク穴をシーリング剤により修理して所定の基準圧まで内圧を加圧（ポンプアップ）するタイヤのシーリング・シーリング・ポンプアップ装置（以下、単に「シーリング装置」という。）が普及している。この種のシーリング装置としては、例えば、特許文献１に記載されているようなものがある。この特許文献１に示されたシーリング装置は、圧縮空気を発生するエアコンプレッサ、シーリング剤を収容した液剤容器、エアコンプレッサへ電源を供給するための電源部がそれぞれ単一のケーシング内に収納された一体型のものとして構成されている。また、このシーリング装置は、液剤容器をタイヤに連通させるためのジョイントホースを備えており、このジョイントホースを通して液剤容器内からタイヤ内へシーリング剤を給送されると共に、タイヤ内へのシーリング剤の注入完了後に液剤容器の内部空間及びジョイントホースを通してエアコンプレッサによりタイヤ内へ圧縮空気を供給する。
【０００３】
ところで、上記のようにシーリング装置では、パンクしたタイヤ内にシーリング剤及び圧縮空気を供給してタイヤを修理した後には、装置内におけるシーリング剤が流通した配管及び各種部品内にシーリング剤が残存しており、このシーリング剤がしだいに固化して配管等を閉塞させることことから、装置内におけるシーリング剤が流通した配管等の各種部品の内部からシーリング剤を洗浄等により完全に除去（清掃）するか、これらの各種部品を新しいもの（未使用品又は再生品）と交換する必要がある。
【０００４】
ところで、シーリング装置によりタイヤの修理を行った一般の作業者（ユーザ）が装置内におけるシーリング剤が流通した配管等の各種部品の清掃又は交換を自ら行うことは困難であり、一般的には、使用済みのシーリング装置は、メーカの工場やサービスセンター、ガソリンスタンド等のリサイクル設備を有する施設に送られ、この施設で配管等の各種部品の清掃が行われるか、配管等の各種部品が消耗品として交換された後、持ち主であるユーザに返却されるか、再生品として市場に再出荷される。
【特許文献１】欧州特許公報  ＥＰ０９７２６１６Ｂ１（Ｆｉｇ２）
【発明の開示】
【発明が解決しようとする課題】
【０００５】
しかしながら、使用済みのシーリング装置がリサイクル施設へ送られた場合でも、シーリング装置がパンク修理に使用された時点から部品等の交換が完了して再生されるまでには相当の時間を要する。従って、ユーザは、使用済みのシーリング装置が再生後に返却される場合でも、返却までの期間のパンク発生に備えて新しいシーリング装置を購入等する必要がある。このため、シーリング装置の使用頻度が非常に低いこともあって、ユーザのなかには使用済みのシーリング装置を再生することなく廃棄し、直ちに新しいシーリング装置を購入するものも少なくない。このような資源の無駄を無くし、ユーザのコスト負担を低減するために、使用済みのシーリング装置を、短時間かつ低コストで、しかもユーザにとっても簡単な作業で再生可能とすることがシーリング装置に対しては強く望まれている。
【０００６】
本発明の目的は、上記事実を考慮して、パンクした空気入りタイヤの修理後にシーリング剤が流通した各種部品を短時間で、しかも簡単な作業で交換できるシーリング・ポンプアップ装置を提供することにある。
【課題を解決するための手段】
【０００７】
本発明の請求項１に係るシーリング・ポンプアップ装置は、パンクした空気入りタイヤ内に液状のシーリング剤を注入した後、空気入りタイヤ内へ圧縮空気を供給して空気入りタイヤの内圧を昇圧するシーリング・ポンプアップ装置であって、シーリング剤を収容する液剤容器と、吸入ポートが前記液剤容器内に連通するように接続され、外部からトルクが伝達されると、前記吸入ポートを通して前記液剤容器内からシーリング剤を吸入し、該シーリング剤を吐出ポートから吐出する吸入ポンプと、前記吸入ポンプにトルク伝達が可能となるように連結されて、該吸入ポンプにトルクを伝達するポンプモータと、一端部が前記吐出ポートに接続されると共に、他端部が空気入りタイヤに接離可能に接続される気液共用配管と、前記気液共用配管における前記吸入ポンプと空気入りタイヤとの中間部から分岐する分岐配管と、前記分岐配管を通して前記気液共用配管に接続され、作動時に分岐配管及び気液共用配管を通して空気入りタイヤ内へ圧縮空気を供給するエアコンプレッサと、前記液剤容器、前記ポンプモータ及び前記エアコンプレッサが配設された装置の本体部に対して着脱可能とされると共に、前記吸入ポンプ、前記気液共用配管及び前記分岐配管がそれぞれ搭載された着脱ユニットとを有し、前記本体部に前記着脱ユニットを装着すると、該着脱ユニットの本体部への装着動作に連動して、前記吸入ポンプ及び前記分岐配管がそれぞれ前記液剤容器及び前記エアコンプレッサに接続されると共に、前記吸入ポンプに前記ポンプモータが連結されることを特徴とする。
【０００８】
本発明の請求項１に係るシーリング・ポンプアップ装置では、本体部に着脱ユニットを装着すると、この着脱ユニットの装着動作に連動して、吸入ポンプ及び分岐配管が液剤容器及びエアコンプレッサにそれぞれ接続されると共に、吸入ポンプにポンプモータが連結されることにより、使用済みの着脱ユニットが取り外された本体部に着脱ユニットに装着する装着動作を行うだけで、未使用の吸入ポンプ、分岐配管及び吸入ポンプをそれぞれ装置の一部として本体部に組み付け、装置を作動可能な状態にできる。
【０００９】
すなわち、従来のシーリング・ポンプアップ装置では、パンクした空気入りタイヤを修理するために、装置を作動させると、液剤容器内の収容されていたシーリング剤が気液共用配管等の構成部品の内部を流通するので、空気入りタイヤの修理完了後には、気液共用配管等のシーリング剤が流通した装置の構成部品の内部に残留したシーリング剤を洗浄等により完全に除去するか、気液共用配管等を含む装置の構成部品を新しいものに交換しなければ、再びパンクした空気入りタイヤを修理するために用いることができない。このため、従来のシーリング・ポンプアップ装置では、気液共用配管等を含む複数の構成部品を１個ずつ本体部から分解し、これらの部品に対して清掃又は交換を行っていた。
【００１０】
これに対し、請求項１に係るシーリング・ポンプアップ装置では、駆動モータからのトルクにより吸入ポンプを作動させると、この吸入ポンプにより液剤容器内から吸引されたシーリング剤が吸入ポンプ及び気液共用配管の内部を流通するが、これらの吸入ポンプ及び気液共用配管が全て着脱ユニットに搭載されているので、使用済みの着脱ユニットが予め取り外された本体部に新しい着脱ユニットを装着するだけで、すなわち本体部に対する着脱ユニットの装着作業を１回行うだけで、これらの吸入ポンプ及び気液共用配管を含む装置の構成部品を新しいものに交換（組み付け）できる。この結果、これらの吸入ポンプ及び気液共用配管を含む装置の構成部品を１個ずつ組み付ける場合と比較し、装置を再使用するために交換が必要となる構成部品を本体部に簡単に組み付けることができ、かつ、これらの構成部品の本体部への組み付け時間も大幅に短縮できる。
【００１１】
また本発明の請求項２に係るシーリング・ポンプアップ装置は、請求項１記載のシーリング・ポンプアップ装置において、前記本体部から前記着脱ユニットを離脱させると、該着脱ユニットの本体部からの離脱動作に連動して、前記吸入ポンプ及び前記分岐配管がそれぞれ前記液剤容器及び前記エアコンプレッサから切り離されると共に、前記吸入ポンプと前記ポンプモータとの連結状態が解除されることを特徴とする。
【００１２】
本発明の請求項２に係るシーリング・ポンプアップ装置では、本体部から着脱ユニットを離脱させると、この着脱ユニットの離脱動作に連動して、吸入ポンプ及び分岐配管がそれぞれ液剤容器及び前記エアコンプレッサから切り離されると共に、吸入ポンプとポンプモータとの連結状態が解除されることにより、パンクした空気入りタイヤを修理した後に、本体部から着脱ユニットを取り外す離脱動作を行うだけで、使用済みの吸入ポンプ及び気液共用配管を含む構成部品を本体部から取り外すことができるので、これらの吸入ポンプ及び気液共用配管を含む装置の構成部品を１個ずつ本体部から分解する場合と比較し、装置を再使用するために交換が必要となる構成部品を簡単に本体部から分解でき、かつ、これらの構成部品の本体部からの分解時間も大幅に短縮できる。
【００１３】
また本発明の請求項３に係るシーリング・ポンプアップ装置は、請求項１又は２記載のシーリング・ポンプアップ装置において、前記気液共用配管を通してシーリング剤及び圧縮空気が空気入りタイヤ側から前記吸入ポンプへ逆流することを阻止する逆止弁を前記着脱ユニットに搭載したことを特徴とする。
【００１４】
また本発明の請求項４に係るシーリング・ポンプアップ装置は、請求項１乃至３の何れか１項記載のシーリング・ポンプアップ装置において、前記液剤容器が前記本体部に対して着脱可能に装着されることを特徴とする。
【発明の効果】
【００１５】
以上説明したように、本発明に係るシーリング・ポンプアップ装置によれば、パンクした空気入りタイヤの修理後にシーリング剤が流通した各種部品を短時間で、しかも簡単な作業で交換できる。
【発明を実施するための最良の形態】
【００１６】
以下、本発明の実施形態に係るシーリング・ポンプアップ装置について説明する。
【００１７】
（実施形態の構成）
図１及び図２には、本発明の実施形態に係るシーリング・ポンプアップ装置（以下「シーリング装置」という。）が示されている。このシーリング装置１０は、パンクした空気入りタイヤ（以下、単に「タイヤ」という。）内にシーリング剤３４を注入した後、このタイヤ内に圧縮空気を供給してタイヤを所定の基準圧まで内圧を再加圧するものである。
【００１８】
図１に示されるように、シーリング装置１０は、その外殻部として箱状のケーシング１２を備えており、このケーシング１２は、装置の高さ方向（矢印Ｈ方向）に沿って本体ケーシング１４と着脱ケーシング１６とに分割可能な２分割構造とされている。本体ケーシング１４は、全体として高さ方向の寸法に対して幅方向（矢印Ｗ方向）に沿った寸法が若干長い筐体状に形成されており、また着脱ケーシング１６は、全体として高さ方向に沿って扁平なプレート状に形成されている。
【００１９】
本体ケーシング１４内には、圧縮空気の供給源としてエアコンプレッサ１８、このエアコンプレッサ１８にトルク伝達可能に連結されたコンプレッサモータ２０、シーリング剤３４を収容した液剤容器３２、後述する吸入ポンプ４０にトルク伝達可能に連結されるポンプモータ３６、コンプレッサモータ２０等を制御するための制御ユニット２２及び電源スイッチ２４が搭載されている。電源スイッチ２４は、本体ケーシング１４の外側に突出するスイッチレバー（図示省略）を備えており、このスイッチレバーを“オフ位置”及び“オン位置”の何れかの位置に保持可能とされている。ここで、エアコンプレッサ１８としては、例えば、シリンダ内をピストンが往復しつつ空気を吸入・排気するレシプロ式のものが用いられる。また制御ユニット２２は内部タイマ（図示省略）を内蔵しており、この内部タイマには、タイヤの種類、サイズ等に応じて決められているタイヤ内へのシーリング剤３４の注入量に対応する注入時間ＴＬがセットされている。
【００２０】
電源スイッチ２４は、スイッチレバーが“オン位置”にある状態では、制御ユニット２２へ駆動命令としての接点信号を出力し、また“オフ位置”にある状態では、制御ユニット２２への接点信号の出力を停止する。また電源スイッチ２４は電源ケーブル２６を備えており、この電源ケーブル２６の先端側を本体ケーシング１４の外部へ延出させている。電源ケーブル２６の先端部には接続プラグ２８が配設されており、この接続プラグ２８は車両に設けられたシガーソケットに挿脱可能とされている。この接続プラグ２８をシガーソケットに挿入することにより、電源スイッチ２４が車両に搭載されたバッテリに電気的に接続される。この状態で、作業者が電源スイッチ２４のスイッチレバーを“オフ位置”から“オン位置”へ移動させると、制御ユニット２２には電源スイッチ２４を介してバッテリからの電源が供給開始される。
【００２１】
シーリング装置１０では、本体ケーシング１４及び本体ケーシング１４に搭載されたエアコンプレッサ１８、コンプレッサモータ２０、液剤容器３２、ポンプモータ３６、コンプレッサモータ２０、制御ユニット２２、電源スイッチ２４等が装置の本体部３０を構成している。また液剤容器３２は本体ケーシング１４に着脱可能に搭載されており、シーリング装置１０をタイヤのパンク修理に用い、液剤容器３２中のシーリング剤３４が消費された後、本体ケーシング１４内から取り外され、この後、本体ケーシング１４には、所定量のシーリング剤３４を収容した液剤容器３２が取り付けられる。これにより、パンク修理後におけるシーリング装置１０へのシーリング剤３４の補給が簡単に行えるようになっている。
【００２２】
一方、着脱ケーシング１６には、液剤容器３２内からシーリング剤３４を吸入してタイヤ内へ供給するための吸入ポンプ４０、この吸入ポンプ４０の吸入ポート４２を液剤容器３２内へ連通させるための吸入配管４６、吸入ポンプ４０の吐出ポート４４をタイヤ内に連通させるための供給配管３８が搭載されている。供給配管３８には、その先端部に三方管継手４８が配設されており、この三方管継手４８には、ジョイントホース５０及び分岐配管５２がそれぞれ接続されている。
【００２３】
ジョイントホース５０は、その先端側が着脱ケーシング１６の外部へ延出しており、ジョイントホース５０の先端部には、タイヤのタイヤバルブにねじ止めにより着脱可能に接続されるバルブアダプタ５１が配設されている。また供給配管３８には吸入ポンプ４０と三方管継手４８との間に逆止弁５４が配設されており、この逆止弁５４は、供給配管３８を通って吸入ポンプ４０側からジョイントホース５０側への流体（シーリング剤３４）が流通することを許容するが、ジョイントホース５０側から吸入ポンプ４０側への流体（シーリング剤３４及び圧縮空気）が流通することを阻止する。
【００２４】
ここで、吸入ポンプ４０としては、例えば、ギヤポンプ、スクリューポンプ、ベーンポンプ、レシプロポンプ等の各種ポンプを用いることができる。シーリング装置１０では、着脱ケーシング１６及び着脱ケーシング１６に搭載された吸入ポンプ４０、吸入配管４６、供給配管３８等が装置における着脱ユニット５６を構成しており、この着脱ユニット５６は本体部３０に着脱可能とされている。
【００２５】
図２に示されるように、本体ケーシング１４には、その下端部における幅方向に沿った一端側に略コ字状の断面を有する固定ヒンジ部５８が形成されると共に、他端側にジョイントレバー６２が配設されている。固定ヒンジ部５８は、その下端側を本体ケーシング１４の下面から着脱ユニット５６側へ突出させており、この固定ヒンジ部５８の下端側には幅方向内側へ向って開口した挿脱口６０が一体的に形成されている。
【００２６】
ジョイントレバー６２も、その下端側（先端側）を本体ケーシング１４の下面から着脱ユニット５６側へ突出させており、このジョイントレバー６２の基端部は、連結ピン６４を介して本体ケーシング１４の下端部に揺動可能に連結されている。ジョイントレバー６２は、図１で実線で示される連結位置と２点鎖線で示される解放位置との間で揺動可能とされている。ジョイントレバー６２の先端部には、その厚さ方向に沿ってねじ穴６６が穿設されており、このねじ穴６６内には、装置の幅方向外側から固定ねじ６８がねじ込まれている。またジョイントレバー６２には、内側の面におけるねじ穴６６の基端側に係合凹部７０が形成されている。
【００２７】
一方、着脱ケーシング１６には、その上端部における幅方向に沿った一端側に固定ヒンジ部５８に対応する突起状の着脱ヒンジ部７２が形成されると共に、他端側にジョイントレバー６２の係合凹部７０及び固定ねじ６８にそれぞれに対応する係合突起７４及びねじ穴７６が形成されている。着脱ヒンジ部７２は、挿脱口６０を通して固定ヒンジ部５８内へ挿脱可能とされている。図１に示されるように、着脱ヒンジ部７２が固定ヒンジ部５８に挿入されると、着脱ケーシング１６は、その一端側が着脱ヒンジ部７２及び固定ヒンジ部５８を介して本体ケーシング１４に連結される。このとき、着脱ケーシング１６は、着脱ヒンジ部７２及び固定ヒンジ部５８を中心として実線で示される装着位置と２点鎖線で示される挿脱位置との範囲で揺動可能となる。
【００２８】
装着位置にある着脱ケーシング１６は、その頂面部分を本体ケーシング１４の底面部分へ当接させ、また挿脱位置にある着脱ケーシング１６は、その頂面部分を本体ケーシング１４の底面部分から傾けた状態で離間させており、この状態で、着脱ケーシング１６を装置の幅方向に沿って他端側へ移動させることにより、着脱ヒンジ部７２が固定ヒンジ部５８内から離脱して着脱ケーシング１６が本体ケーシング１４から切り離される。
【００２９】
また着脱ケーシング１６が装着位置にある状態で、ジョイントレバー６２を解放位置側から連結位置へ揺動させると、係合突起７４がジョイントレバー６２の係合凹部７０内へ挿入される。これにより、着脱ケーシング１６の装着位置から着脱位置側への揺動が阻止される。このとき、固定ねじ６８の先端部が着脱ケーシング１６のねじ穴７６と一致し、固定ねじ６８の先端側をねじ穴７６内へねじ込むことが可能になる。この状態で、固定ねじ６８を、その頭部がジョイントレバー６２に圧接するまでねじ穴７６内へねじ込むことにより、ジョイントレバー６２が連結位置に締結固定される。これにより、着脱ケーシング１６が装着位置に拘束されて本体ケーシング１４と一体化される。
【００３０】
図２に示されるように、液剤容器３２には、着脱ケーシング側の一端部に他端側に対して断面積が縮小した略円筒状の首部７８が形成されており、この首部７８の先端面にはシーリング剤３４の吐出口８０が開口しており、この吐出口８０はアルミ箔等の封止部材８２により封止されている。またエアコンプレッサ１８には、着脱ケーシング１６の一端部に略円筒状のプラグ部８４が設けられている。このプラグ部８４の内部には圧縮空気の供給路が貫通しており、この供給路の先端はプラグ部８４の先端面で開口している。ここで、本体ケーシング１４は、その底面部から首部７８及びプラグ部８４がそれぞれ着脱ケーシング１６側へ突出するように液剤容器３２及びエアコンプレッサ１８を支持している。
【００３１】
またポンプモータ３６には、着脱ケーシング１６側の端部から突出するトルク伝達軸８８が設けられており、このトルク伝達軸８８の先端部には、所定の径方向に沿って徐々に幅が狭くなるようなテーパ部８９が形成されると共に、このテーパ部８９の先端から突出する平板状の連結片９０が形成されている。ここで、本体ケーシング１４は、その底面部からトルク伝達軸８８が着脱ケーシング１６側へ突出するようにポンプモータ３６を支持している。
【００３２】
一方、着脱ケーシング１６には、液剤容器３２の首部７８に対応する部位に連結キャップ９２が配設されている。この連結キャップ９２は、本体ケーシング１４側へ向って開口するように着脱ケーシング１６により支持されており、その内部には、液剤容器３２の首部７８が挿脱可能とされた嵌挿穴９４が形成されている。連結キャップ９２には、嵌挿穴９４の底面部の外周側にゴム等からなる液体シール用のＯリング（図示省略）が配設されると共に、嵌挿穴９４の底面部中央から着脱ケーシング１６側へ突出するように中空状の破通管９６が設けられている。この破通管９６の基端部には吸入配管４６の基端部が接続されており、この吸入配管４６を通して破通管９６は吸入ポンプ４０の吸入ポート４２と連通している。
【００３３】
シーリング装置１０では、挿脱位置にある着脱ケーシング１６を装着位置へ揺動させると、これに連動して、液剤容器３２の首部７８が連結キャップ９２の嵌挿穴９４内へ嵌挿されると共に、破通管９６が封止部材８２を突き破って液剤容器３２内へ挿入される。これにより、首部７８の吐出口８０と連結キャップ９２の破通管９６との隙間がＯリングにより液密状態となるようにシールされると共に、液剤容器３２の内部空間が破通管９６及び吸入配管４６を通って吸入ポンプ４０の吸入ポート４２に連通する。またシーリング装置１０では、装着位置にある着脱ケーシング１６を着脱位置へ揺動させると、これに連動して、液剤容器３２の首部７８が連結キャップ９２の嵌挿穴９４内から離脱すると同時に、破通管９６が液剤容器３２内から抜き取られる。これにより、吸入ポンプ４０の吸入ポート４２が液剤容器３２から切り離される。
【００３４】
また着脱ケーシング１６には、エアコンプレッサ１８のプラグ部８４に対応する部位にキャップ状のソケット部９８が配設されている。このソケット部９８は、本体ケーシング１４側へ向って開口するように着脱ケーシング１６により支持されており、その内部にはエアコンプレッサ１８のプラグ部８４が挿脱可能とされた嵌挿穴１００が形成されている。ソケット部９８には、嵌挿穴１００の底面部の外周側にゴム等からなるガスシール用のＯリング（図示省略）が配設されると共に、底面部の中央部分に分岐配管５２内に連通する連通口が開口している。
。
【００３５】
シーリング装置１０では、挿脱位置にある着脱ケーシング１６を装着位置へ揺動させると、これに連動して、エアコンプレッサ１８のプラグ部８４がソケット部９８の嵌挿穴１００内へ嵌挿される。これにより、プラグ部８４とソケット部９８との隙間がＯリングにより気密状態となるようにシールされると共に、プラグ部８４の供給路８６がソケット部９８を介して分岐配管５２の内部に連通し、エアコンプレッサ１８のエア吐出ポート（図示省略）が供給路８６、分岐配管５２、三方管継手４８を通してジョイントホース５０内へ連通する。またシーリング装置１０では、装着位置にある着脱ケーシング１６を着脱位置へ揺動させると、これに連動して、エアコンプレッサ１８のプラグ部８４がソケット部９８の嵌挿穴１００内から離脱し、エアコンプレッサ１８が分岐配管５２から切り離される。
【００３６】
図２に示されるように、吸入ポンプ４０には、ポンプモータ３６のトルク伝達軸８８に対応する部位にトルク伝達部材１０４が配設されている。このトルク伝達部材１０４には、トルク伝達軸８８が挿脱可能とされた連結穴１０６が形成されると共に、この連結穴１０６内にトルク伝達軸８８のテーパ部８９及び連結片９０にそれぞれ対応するテーパ受部１０８及び連結溝１１０が形成されている。ここで、吸入ポンプ４０は、トルク伝達部材１０４の回転時に作動してシーリング剤３４に対する吸入・吐出動作を行う。
【００３７】
シーリング装置１０では、挿脱位置にある着脱ケーシング１６を装着位置へ揺動させると、これに連動して、ポンプモータ３６のトルク伝達軸８８が吸入ポンプ４０の連結穴１０６内へ挿入される。この際、トルク伝達軸８８のテーパ部８９及び連結穴１０６のテーパ受部１０８の作用によりトルク伝達軸８８の連結片９０が連結穴１０６内の連結溝１１０内へ案内され、着脱ケーシング１６が装着位置に達すると連結片９０が連結溝１１０内へ嵌合する。これにより、トルク伝達軸８８がトルク伝達部材１０４にトルク伝達が可能となるように連結される。またシーリング装置１０では、装着位置にある着脱ケーシング１６を着脱位置へ揺動させると、これに連動して、トルク伝達軸８８が連結穴１０６内から抜け出てポンプモータ３６が吸入ポンプ４０から切り離される。
【００３８】
（実施形態の作用）
次に、本実施形態に係るシーリング装置１０を用いてパンクしたタイヤを修理する作業手順を説明する。なお、本実施形態に係るシーリング装置１０は、図１に示されるように、本体部３０に着脱ユニット５６が装着されてシーリング装置１０として組み立てられた状態で、車両のトランクルーム等に保管されているものとする。
【００３９】
タイヤにパンクが発生した際には、先ず、作業者は、ジョイントホース５０のバルブアダプタ５１をタイヤのタイヤバルブに接続した後、電源スイッチ２４のスイッチレバーを“オフ位置”から“オン位置”へ移動させる。これに同期し、制御ユニット２２は、ポンプモータ３６へ駆動電流を供給開始してポンプモータ３６を駆動開始させると共に、内部タイマ（図示省略）によりシーリング剤３４の注入時間を計時開始する。制御ユニット２２から駆動電流の供給を受けたポンプモータ３６は、そのトルク伝達軸８８からトルク伝達部材１０４へトルクを伝達して吸入ポンプ４０を作動させる。トルク伝達軸８８からの伝達トルクにより作動状態となった吸入ポンプ４０は、液剤容器３２内のシーリング剤３４を吸入配管４６及び吸入ポート４２を通して吸引し、このシーリング剤３４を加圧状態として吐出ポート４４を通して供給配管３８内へ送り出す。このシーリング剤３４は供給配管３８及びジョイントホース５０を通ってタイヤ内へ注入される。
【００４０】
制御ユニット２２の内部タイヤは、ポンプモータ３６の駆動開始からの時間がタイヤの種類、サイズ等に応じて予めセットされた注入時間ＴＬと一致すると、カウントアップ信号を出力する。カウントアップ信号の出力に同期し、制御ユニット２２は、ポンプモータ３６への駆動電流の供給を中止して吸入ポンプ４０を停止させた後、コンプレッサモータ２０への駆動電流の供給を開始してエアコンプレッサ１８を作動開始させる。このとき、吸入ポンプ４０は、注入時間ＴＬの間に液剤容器３２内からタイヤの規定量よりも若干多めのシーリング剤３４を吸入し、このシーリング剤３４をタイヤ内へ注入する。
【００４１】
一方、注入時間ＴＬの経過後、作動状態となったエアコンプレッサ１８は、コンプレッサ外部から吸入すると共に圧縮して圧縮空気を生成し、この圧縮空気をエア供給ポートから吐出する。この圧縮空気は、プラグ部８４の供給路８６、分岐配管５２、三方管継手４８、ジョイントホース５０を通ってタイヤ内に供給されてタイヤを膨張させる。この後、作業者は圧力ゲージによりタイヤの内圧が規定圧に達したことを確認したならば、電源スイッチ２４を“オフ位置”へ復帰させる。これにより、制御ユニット２２はコンプレッサモータ２０への電流供給を中止してエアコンプレッサ１８を停止させる。
【００４２】
次いで、作業者は、バルブアダプタ５１をタイヤバルブから抜き取りジョイントホース５０から離脱させると共に、電源ケーブル２６の接続プラグ２８を車両のシガーソケットから抜き取る。この状態で一旦、作業者はシーリング装置１０をトランク等に収納した後、シーリング剤３４が注入されたタイヤを用いて一定距離に亘って予備走行する。予備走行完了後に、作業者は、タイヤの内圧を再測定し、必要に応じて再びバルブアダプタ５１をタイヤバルブ６６にねじ止めし、シーリング装置１０のエアコンプレッサ１８を作動させてタイヤを規定の内圧まで加圧する。これにより、タイヤのパンク修理（応急修理）が完了し、このタイヤを用いて一定の距離範囲内で一定速度以下（例えば、８０Ｋｍ／ｈ以下）での走行が可能になる。
【００４３】
上記したようなタイヤの応急修理の完了後に、作業者は、可及的速やかに車両をガソリンスタンド、整備工場等の修理施設へ搬入し、この修理施設でパンクしたタイヤの修理を受けるか、タイヤの交換を受ける必要がある。またシーリング装置１０については、タイヤを応急修理した際にシーリング剤３４が流通した吸入配管４６、吸入ポンプ、供給配管３８、ジョイントホース５０を含む着脱ユニット５６を新しいものに交換する必要がある。
【００４４】
次に、シーリング装置１０の本体部３０に対する着脱ユニット５６及び液剤容器３２の交換作業の手順について説明する。
【００４５】
先ず、作業者は、固定ねじ６８を抜取り方向へ回転させてねじ穴７６内から抜き取り、連結位置にあるジョイントレバー６２を開放位置へ揺動させた後、固定ヒンジ部５８及び着脱ヒンジ部７２を中心として着脱ケーシング１６（着脱ユニット５６）を装着位置から挿脱位置へ揺動させる。この状態で、作業者は、着脱ユニット５６を斜め下方へ移動させて着脱ヒンジ部７２を固定ヒンジ部５８内から抜き取り、着脱ユニット５６を本体部３０から切り離す。この本体部３０から切り離された着脱ユニット５６は、不燃物等として廃棄しても良いが、修理施設等で回収して吸入配管４６、吸入ポンプ、供給配管３８、ジョイントホース５０の内部に残留するシーリング剤３４を清掃、除去し、必要に応じてＯリング等の消耗部品を新しいものに交換することにより、再生品として市場等に再流通させることが好ましい。
【００４６】
次いで、作業者は、着脱ユニット５６が取り外された本体部３０内から液剤容器３２を抜き取り、この使用済みの液剤容器３２の代わりに、所定量のシーリング剤３４を収容すると共に、吐出口８０が封止部材８２により封止された新しい液剤容器３２を本体部３０に装着する。液剤容器３２の交換完了後、作業者は、未使用の着脱ユニット５６を本体部３０に対して挿脱位置にある場合と略等しい角度だけ傾けた状態としつつ、着脱ヒンジ部７２を固定ヒンジ部５８内へ挿入し、ヒンジ部５８，７２を中心として着脱ユニット５６を挿脱位置から装着位置へ揺動させる。この後、作業者は、解放位置にあるジョイントレバー６２を連結位置へ揺動させ、ジョイントレバー６２を連結位置に保持しつつ、固定ねじ６８をねじ穴７６内へねじ込むことにより、ジョイントレバー６２により着脱ユニット５６を装着位置に拘束する。これにより、本体部３０に対する液剤容器３２及び着脱ユニット５６の交換が完了する。
【００４７】
以上説明した本発明の実施形態に係るシーリング装置１０では、本体部３０に未使用の着脱ユニット５６を上記したような手順で装着すると、この着脱ユニット５６の本体部３０への装着動作に連動して、液剤容器３２の首部７８が連結キャップ９２の嵌挿穴９４内へ嵌挿されると共に、連結キャップ９２の破通管９６が封止部材８２を突き破る。これにより、吸入ポンプ４０の吸入ポート４２が吸入配管４６を通して液剤容器３２内へ連通し、吸入ポンプ４０が液剤容器３２内からシーリング剤３４を吸入することが可能になる。
【００４８】
またシーリング装置１０では、着脱ユニット５６の本体部３０への装着動作に連動して、エアコンプレッサ１８のソケット部９８がプラグ部８４の嵌挿穴１００内へ嵌挿されてプラグ部８４内の供給路がソケット部９８の連通口を通して分岐配管５２内に連通する。これにより、エアコンプレッサ１８により発生した圧縮空気が供給路８６、分岐配管５２、三方管継手４８及びジョイントホース５０を通してタイヤ内へ供給可能になる。
【００４９】
またシーリング装置１０では、着脱ユニット５６の本体部３０への装着動作に連動して、ポンプモータ３６のトルク伝達軸８８がトルク伝達部材１０４にトルク伝達可能に連結され、ポンプモータ３６が発生したトルクをトルク伝達軸８８及びトルク伝達部材１０４を介して吸入ポンプ４０へ伝達可能になる。
【００５０】
従って、シーリング装置１０では、作業者が使用済みの着脱ユニット５６が取り外された本体部３０に未使用の着脱ユニット５６を装着する装着動作を行うだけで、未使用の供給配管３８、吸入ポンプ４０、分岐配管５２及びジョイントホース５０をそれぞれ装置の一部として本体部３０に組み付け、装置を作動可能な状態にできる。
【００５１】
すなわち、従来のシーリング装置では、タイヤの修理完了後に、シーリング剤が流通した配管、吸入ポンプ、ジョイントホース等の装置の構成部品（以下、「液路部品」という。）の内部に残留したシーリング剤を洗浄等により除去するか、流路部品を新しいものに交換しなければ、タイヤ修理のために用いることができない。このため、従来のシーリング・ポンプアップ装置では、流路部品を１個ずつ本体部から分解し、これらの流路部品を新しいもの（清掃品又は未使用品）に交換していた。
【００５２】
これに対し、本実施形態に係るシーリング装置１０では、ポンプモータ３６からのトルクにより吸入ポンプ４０を作動させると、この吸入ポンプ４０により液剤容器３２内から吸引されたシーリング剤３４が、吸入配管４６、吸入ポンプ４０、供給配管３８及びジョイントホース５０の内部をそれぞれ流通するが、これらの吸入配管４６、吸入ポンプ４０及びジョイントホース５０が全て着脱ユニット５６に搭載されているので、使用済みの着脱ユニット５６が予め取り外された本体部３０に新しい着脱ユニット５６を装着するだけで、すなわち本体部３０に対する着脱ユニット５６の装着作業を１回行うだけで、これらの吸入配管４６、吸入ポンプ４０及びジョイントホース５０を含む装置の構成部品を新しいものに交換（組み付け）できる。この結果、これらの吸入配管４６、吸入ポンプ４０及びジョイントホース５０並びに、これらの付帯する装置の構成部品を本体部３０に１個ずつ組み付ける場合と比較し、これらの構成部品を簡単に組み付けることができ、かつ、これらの構成部品の本体部３０への組み付け時間も大幅に短縮できる。
【００５３】
また本実施形態に係るシーリング装置１０では、本体部３０から着脱ユニット５６を離脱させると、この着脱ユニット５６の離脱動作に連動して、吸入配管４６及び分岐配管５２がそれぞれ液剤容器３２及びエアコンプレッサ１８から切り離されると共に、吸入ポンプ４０とポンプモータ３６との連結状態が解除されることにより、パンクしたタイヤを修理した後に、本体部３０から着脱ユニット５６を取り外す離脱動作を行うだけで、使用済みの吸入配管４６、吸入ポンプ４０及びジョイントホース５０を含む装置の構成部品を本体部３０から取り外すことができるので、これらの吸入配管４６、吸入ポンプ４０及びジョイントホース５０を１個ずつ本体部３０から分解する場合と比較し、装置を再使用するために交換が必要となる構成部品を簡単に本体部３０から分解でき、かつ、これらの構成部品を本体部３０から分解する時間も大幅に短縮できる。
【００５４】
また本実施形態に係るシーリング装置１０では、供給配管３８にシーリング剤３４及び圧縮空気がタイヤ側から吸入ポンプへ逆流することを阻止する逆止弁５４が配設されていることにより、吸入ポンプ４０又はエアコンプレッサの停止時に、タイヤ内に一旦注入されたシーリング剤３４がタイヤの内圧により吸入ポンプ４０内へ逆流することを確実に防止できるので、逆流したシーリング剤３４により吸入ポンプ４０に故障が発生することがなくなる。シーリング装置１０では、吸入ポンプ４０の作動時に逆止弁５４内にもシーリング剤３４が流通するが、逆止弁５４も着脱ユニット５６に供給配管３８の一部として搭載されているので、着脱ユニット５６の交換により逆止弁５４も本体部３０に対して簡単に簡単に交換できる。
【００５５】
また本実施形態に係るシーリング装置１０では、ジョイントホース５０を通してタイヤ側から逆流したシーリング剤３４が分岐配管５２内へも流入する可能性があるが、エアコンプレッサ１８としてレシプロ式のものを用いていることから、このエアコンプレッサ１８のエア吐出ポートに配設された排気弁（図示省略）によりシーリング剤３４がエアコンプレッサ１８のシリンダ内へ侵入することが阻止される。なお、逆止弁５４を省略すると共に、供給配管３８とジョイントホース５０との間に三方管継手４８に代えて三方逆止弁を配設し、この三方逆止弁によりジョイントホース５０内から供給配管３８及び分岐配管５２内へのシーリング剤３４及び圧縮空気の逆流を阻止するようにして良い。
【００５６】
また本実施形態に係るシーリング装置１０では、本体部３０内に２個のコンプレッサモータ２０及びポンプモータ３６が配設されており、これらのモータ２０，３６によりエアコンプレッサ１８及び吸入ポンプ４０にそれぞれ独立してトルクを伝達し、エアコンプレッサ１８及び吸入ポンプ４０をそれぞれ異なる時期に作動させていたが、大容量の１個の共通モータを本体部３０に配設し、この共通モータからのトルクをギヤ列機構、ベルト・プーリ機構等のトルク伝達機構を介してエアコンプレッサ１８及び吸入ポンプ４０にそれぞれ伝達するようにしても良い。このとき、エアコンプレッサ１８及び吸入ポンプ４０へのトルクの伝達及び遮断は、電磁クラッチ等のトルクの伝達制御機構を用いて制御しても良いが、共通モータとエアコンプレッサ１８との間及び共通モータと吸入ポンプ４０との間にそれぞれワンウェイクラッチを介在させ、共通モータが正転方向へ回転する時には吸入ポンプ４０側へのみトルクが伝達され、共通モータが逆転方向へ回転する時にはエアコンプレッサ１８へのみトルクが伝達されるようにしても良い。
【図面の簡単な説明】
【００５７】
【図１】本発明の実施形態に係るシーリング・ポンプアップ装置の構成を示す側面断面図であり、本体部に着脱ユニットが装着された状態を示している。
【図２】図１に示されるシーリング・ポンプアップ装置において本体部から着脱ユニットが離脱した状態を示す側面断面図である。
【符号の説明】
【００５８】
１０      シーリング装置（シーリング・ポンプアップ装置）
１２      ケーシング
１４      本体ケーシング
１６      着脱ケーシング
１８      エアコンプレッサ
２０      コンプレッサモータ
３０      本体部
３２      液剤容器
３４      シーリング剤
３６      ポンプモータ
３８      供給配管（気液共用配管）
４０      吸入ポンプ
４２      吸入ポート
４４      吐出ポート
４６      吸入配管
５０      ジョイントホース（気液共用配管）
５２      分岐配管
５４      逆止弁
【図１】
2006159592.tif 000003
【図２】
2006159592.tif 000004